(57)【要約】【課題】映像の組み合わせにかかわらず可能な限り２画面を表示することができる映像表示方法及び映像表示装置等を提供する。【解決手段】第１の映像信号に対応した第１の映像を表示し、第２の映像信号に対応した第２の映像を表示する映像表示方法は、第１の映像信号に対する第１のスケーリング処理をフレームメモリーへの映像信号の蓄積処理の前に行った場合に、ノイズが発生するか否かを判定する第１の前段配置ノイズ判定ステップと、第２の映像信号に対する第２のスケーリング処理を蓄積処理の前に行った場合に、ノイズが発生するか否かを判定する第２の前段配置判定ステップと、それぞれのノイズ発生の判定結果に応じて第１のスケーリング処理及び蓄積処理の処理順序、第２のスケーリング処理及び蓄積処理の処理順序を変更して第１の映像及び第２の映像を表示するステップとを含む。【選択図】図８
2012163665.tif 000002
【特許請求の範囲】
【請求項１】
第１の映像信号に対応した第１の映像を第１の表示画面に表示し、第２の映像信号に対応した第２の映像を第２の表示画面に表示する映像表示方法であって、
前記第１の映像信号に対する第１のスケーリング処理をフレームメモリーへの映像信号の蓄積処理の前に行った場合に、前記第１の表示画面にノイズが発生するか否かを判定する第１の前段配置ノイズ判定ステップと、
前記第２の映像信号に対する第２のスケーリング処理を前記蓄積処理の前に行った場合に、前記第２の表示画面にノイズが発生するか否かを判定する第２の前段配置判定ステップと、
前記第１の前段配置ノイズ判定ステップの判定結果に応じて前記第１のスケーリング処理及び前記蓄積処理の処理順序を変更して、前記第１のスケーリング処理後の映像信号に基づいて前記第１の映像を表示する第１の表示ステップと、
前記第２の前段配置ノイズ判定ステップの判定結果に応じて前記第２のスケーリング処理及び前記蓄積処理の処理順序を変更して、前記第２のスケーリング処理後の映像信号に基づいて前記第２の映像を表示する第２の表示ステップと
を含むことを特徴とする映像表示方法。
【請求項２】
請求項１において、
前記第１のスケーリング処理を前記蓄積処理の後に行った場合に、前記第１の表示画面にノイズが発生するか否かを判定する第１の後段配置ノイズ判定ステップと、
前記第２のスケーリング処理を前記蓄積処理の後に行った場合に、前記第２の表示画面にノイズが発生するか否かを判定する第２の後段配置ノイズ判定ステップと、
前記第１のスケーリング処理及び前記第２のスケーリング処理を前記蓄積処理の後に行った場合に、前記第１の表示画面及び前記第２の表示画面にノイズが発生するか否かを判定する第３の後段配置ノイズ判定ステップとを含み、
前記第１の表示ステップは、
前記第１の前段配置ノイズ判定ステップ、前記第１の後段配置ノイズ判定ステップ及び前記第３の後段配置ノイズ判定ステップのいずれかの判定結果に応じて前記第１のスケーリング処理及び前記蓄積処理の処理順序を変更して、前記第１のスケーリング処理後の映像信号に基づいて前記第１の映像を表示し、
前記第２の表示ステップは、
前記第２の前段配置ノイズ判定ステップ、前記第２の後段配置ノイズ判定ステップ及び前記第３の後段配置ノイズ判定ステップのいずれかの判定結果に応じて前記第２のスケーリング処理及び前記蓄積処理の処理順序を変更して、前記第２のスケーリング処理後の映像信号に基づいて前記第２の映像を表示することを特徴とする映像表示方法。
【請求項３】
請求項２において、
前記第１の前段配置ノイズ判定ステップ及び前記第２の前段配置ノイズ判定ステップにおいて、前記第１の表示画面及び前記第２の表示画面にノイズが発生しないと判定された場合、
前記第１の表示ステップでは、前記第１のスケーリング処理を前記蓄積処理の前に行うと共に、前記第２の表示ステップでは、前記第２のスケーリング処理を前記蓄積処理の前に行い、
前記第１の前段配置ノイズ判定ステップ及び前記第２の前段配置ノイズ判定ステップにおいて、前記第１の表示画面にノイズが発生し、且つ、前記第２の表示画面にノイズが発生しないと判定され、前記第１の後段配置判定ステップにおいて前記第１の表示画面にノイズが発生しないと判定された場合、
前記第１の表示ステップでは、前記第１のスケーリング処理を前記蓄積処理の後に行うと共に、前記第２の表示ステップでは、前記第２のスケーリング処理を前記蓄積処理の前に行い、
前記第１の前段配置ノイズ判定ステップ及び前記第２の前段配置ノイズ判定ステップにおいて、前記第１の表示画面及び前記第２の表示画面にノイズが発生すると判定され、前記第３の後段配置ノイズ判定ステップにおいてノイズが発生しないと判定された場合、
前記第１の表示ステップでは、前記第１のスケーリング処理を前記蓄積処理の後に行うと共に、前記第２の表示ステップでは、前記第２のスケーリング処理を前記蓄積処理の後に行うことを特徴とする映像表示方法。
【請求項４】
請求項３において、
前記第１の前段配置ノイズ判定ステップ及び前記第２の前段配置ノイズ判定ステップにおいて、前記第１の表示画面にノイズが発生し、且つ、前記第２の表示画面にノイズが発生しないと判定され、前記第１の後段配置判定ステップにおいて前記第１の表示画面にノイズが発生すると判定された場合、
前記第１の表示ステップ及び前記第２の表示ステップの少なくとも１つでは、非対応メッセージを表示することを特徴とする映像表示方法。
【請求項５】
請求項３又は４において、
前記第１の前段配置ノイズ判定ステップ及び前記第２の前段配置ノイズ判定ステップにおいて、前記第１の表示画面及び前記第２の表示画面にノイズが発生すると判定され、前記第３の後段配置ノイズ判定ステップにおいてノイズが発生すると判定された場合、
前記第１の表示ステップ及び前記第２の表示ステップの少なくとも１つでは、非対応メッセージを表示することを特徴とする映像表示方法。
【請求項６】
請求項２において、
前記第１の後段配置ノイズ判定ステップは、
前記第１の映像信号の種類と、前記第１のスケーラーの垂直方向のスケーリング率と、前記フレームメモリーの帯域とに基づいて、前記第１の表示画面にノイズが発生するか否かを判定し、
前記第２の後段配置ノイズ判定ステップは、
前記第２の映像信号の種類と、前記第２のスケーラーの垂直方向のスケーリング率と、前記フレームメモリーの帯域とに基づいて、前記第２の表示画面にノイズが発生するか否かを判定し、
前記第３の後段配置ノイズ判定ステップは、
前記第１の映像信号の種類と、前記第２の映像信号の種類と、前記第１のスケーラーの垂直方向のスケーリング率と、前記第２のスケーラーの垂直方向のスケーリング率と、前記帯域とに基づいて、前記第１の表示画面及び前記第２の表示画面にノイズが発生するか否かを判定することを特徴とする映像表示方法。
【請求項７】
請求項１において、
前記第１の前段配置ノイズ判定ステップは、
前記第１の映像信号の種類と、前記第１のスケーラーの水平方向のスケーリング率と、前記フレームメモリーの帯域とに基づいて、前記第１の表示画面にノイズが発生するか否かを判定し、
前記第２の前段配置ノイズ判定ステップは、
前記第２の映像信号の種類と、前記第２のスケーラーの水平方向のスケーリング率と、前記フレームメモリーの帯域とに基づいて、前記第２の表示画面にノイズが発生するか否かを判定することを特徴とする映像表示方法。
【請求項８】
第１の映像信号に対応した第１の映像を第１の表示画面に表示し、第２の映像信号に対応した第２の映像を第２の表示画面に表示する映像表示装置であって、
フレームメモリーと、
前記第１の映像信号に対して第１のスケーリング処理を行う第１のスケーラーと、
前記第２の映像信号に対して第２のスケーリング処理を行う第２のスケーラーと、
前記フレームメモリーへの映像信号の蓄積処理と前記第１のスケーリング処理との処理順序、及び前記蓄積処理と前記第２のスケーリング処理との処理順序を切り替えて、前記第１のスケーリング処理後の映像信号及び前記第２のスケーリング処理後の映像信号を生成する映像信号処理部と、
前記映像信号処理部によって生成された前記第１のスケーリング処理後の映像信号及び前記第２のスケーリング処理後の映像信号に基づいて、前記第１の映像及び前記第２の映像を表示する映像表示部とを含み、
前記映像信号処理部は、
前記第１のスケーリング処理、前記第２のスケーリング処理及び前記蓄積処理の処理順序に対応した前記第１の表示画面及び前記第２の表示画面におけるノイズ発生の判定結果に応じて、前記第１のスケーリング処理と前記蓄積処理との処理順序、及び前記第２のスケーリング処理と前記蓄積処理との処理順序を切り替えることを特徴とする映像表示装置。
【発明の詳細な説明】
【技術分野】
【０００１】
本発明は、映像表示方法及び映像表示装置等に関し、特に映像信号のスケーリング処理を行う映像表示方法及び映像表示装置等に関する。
【背景技術】
【０００２】
従来のプロジェクター等の映像表示装置には、複数の映像ソースから２つの映像ソースを選択し、１つの表示デバイスに２画面で表示することが可能なものがある。映像ソースとしては、パーソナルコンピューター（Personal Computer：ＰＣ)、ＤＶＤ（Digital Versatile Disc)、ＶＴＲ（Video Tape Recorder)、その他の映像機器、インターネット等がある。
【０００３】
このような映像表示装置は、各画面のサイズを変更して表示する。そのため、映像表示装置は、映像信号処理等を行うために映像信号をバッファリングするフレームメモリーや、映像信号に対してスケーリング処理を行うスケーラーを備えている。スケーラーは、例えば、表示する画面毎に設けられており、フレームメモリーの前段側又は後段側のいずれかに固定して配置されている。
【０００４】
図１２に、スケーラーがフレームメモリーの前段側に配置される場合の説明図を示す。図１２は、画面毎にスケーラーがスケーリング処理を行い、２画面表示を行う場合の配置を表す。
この場合、第１のスケーラーＳＣ１及び第２のスケーラーＳＣ２が、フレームメモリーＦＭの前段側に設けられ、それぞれインプットスケーラーとして用いられる。そのため、第１の映像用の映像信号は、第１のスケーラーＳＣ１によりスケーリング処理が行われた後、フレームメモリーＦＭに格納される。同様に、第２の映像用の映像信号は、第２のスケーラーＳＣ２によりスケーリング処理が行われた後、フレームメモリーＦＭに格納される。フレームメモリーＦＭからはスケーリング処理後の第１の映像信号及び第２の映像信号が読み出されて、それぞれ第１の映像及び第２の映像の表示に用いられる。
【０００５】
このようなインプットスケーラーとして用いられる場合、拡大率を大きくすると、スケーラー内のデータ取り込み処理が追いつかなくなり、映像の一部が欠損し、表示画面にノイズが発生することがある。例えば、低解像度の入力映像信号を拡大して表示するとき、拡大率を大きくすると映像の一部が欠損する事態となる。このとき、アウトプットスケーラーとして、スケーラーをフレームメモリーＦＭの後段側に配置する必要がある。
【０００６】
図１３に、スケーラーがフレームメモリーの後段側に配置される場合の説明図を示す。図１３は、画面毎にスケーラーがスケーリング処理を行い、２画面表示を行う場合の配置を表す。
この場合、第１のスケーラーＳＣ１及び第２のスケーラーＳＣ２が、フレームメモリーＦＭの後段側に設けられ、それぞれアウトプットスケーラーとして用いられる。そのため、第１の映像用の映像信号は、フレームメモリーＦＭに格納された後、フレームメモリーＦＭから読み出されて第１のスケーラーＳＣ１によりスケーリング処理が行われる。同様に、第２の映像用の映像信号は、フレームメモリーＦＭに格納された後、フレームメモリーＦＭから読み出されて第２のスケーラーＳＣ２によりスケーリング処理が行われる。そして、スケーリング処理後の第１の映像信号及び第２の映像信号が、それぞれ第１の映像及び第２の映像の表示に用いられる。
【０００７】
このようなアウトプットスケーラーとして用いられる場合、縮小率を大きくすると、フレームメモリーへのアクセス速度がボトルネックとなって、十分に映像信号を供給できなくなり、映像が破綻し、表示画面にノイズが発生することがある。例えば、高解像度の入力映像信号を縮小して表示するとき、縮小率を大きくすると映像の一部が欠損する事態となる。
【０００８】
このようなフレームメモリーとスケーラーとを備えた映像表示装置については、種々提案されている。例えば特許文献１には、画面毎に設けられるスケーラーがフレームメモリーの前段側に配置して、２画面を表示するようにした映像表示装置が開示されている。
【先行技術文献】
【特許文献】
【０００９】
【特許文献１】特開平６−６２３３９号公報
【発明の概要】
【発明が解決しようとする課題】
【００１０】
従来のように映像表示装置による表示画像が低解像度の場合は、映像信号に対して縮小処理を行うことが多くなる。そのため、図１２に示すインプットスケーラーとして第１のスケーラーＳＣ１及び第２のスケーラーＳＣ２をフレームメモリーＦＭの前段側に配置することが望ましい。
【００１１】
しかしながら、近年の映像表示装置による表示画像の高解像度化が進むと、２画面を表示する場合、一方の画像を拡大して表示する必要性が高まってきた。そのため、スケーラーがフレームメモリーの前段側に固定して配置されていると、一方の画像を表示することができないことがあるという問題がある。このように、従来では、映像の組み合わせによって２画面を表示することができないことがあり、ノイズが発生するおそれのある信号を非対応としたり、映像を表示させないという手段を採用したりしていた。
【００１２】
本発明は、以上のような技術的課題に鑑みてなされたものである。本発明の幾つかの態様によれば、映像の組み合わせにかかわらず可能な限り２画面を表示することができる映像表示方法及び映像表示装置等を提供することができる。
【課題を解決するための手段】
【００１３】
（１）本発明の第１の態様は、第１の映像信号に対応した第１の映像を第１の表示画面に表示し、第２の映像信号に対応した第２の映像を第２の表示画面に表示する映像表示方法が、前記第１の映像信号に対する第１のスケーリング処理をフレームメモリーへの映像信号の蓄積処理の前に行った場合に、前記第１の表示画面にノイズが発生するか否かを判定する第１の前段配置ノイズ判定ステップと、前記第２の映像信号に対する第２のスケーリング処理を前記蓄積処理の前に行った場合に、前記第２の表示画面にノイズが発生するか否かを判定する第２の前段配置判定ステップと、前記第１の前段配置ノイズ判定ステップの判定結果に応じて前記第１のスケーリング処理及び前記蓄積処理の処理順序を変更して、前記第１のスケーリング処理後の映像信号に基づいて前記第１の映像を表示する第１の表示ステップと、前記第２の前段配置ノイズ判定ステップの判定結果に応じて前記第２のスケーリング処理及び前記蓄積処理の処理順序を変更して、前記第２のスケーリング処理後の映像信号に基づいて前記第２の映像を表示する第２の表示ステップとを含む。
【００１４】
本態様によれば、スケーリング処理毎に、蓄積処理の前にスケーリング処理を行ったときに画面にノイズが発生するか否かを判定し、その判定結果に応じて、各スケーリング処理と蓄積処理の処理順序を変更するようにしたので、従来では映像信号の組み合わせによって表示できない場合でも、各画面にノイズを発生させることなく第１の表示画面及び第２の表示画面を表示することができるようになる。
【００１５】
（２）本発明の第２の態様に係る映像表示方法は、第１の態様において、前記第１のスケーリング処理を前記蓄積処理の後に行った場合に、前記第１の表示画面にノイズが発生するか否かを判定する第１の後段配置ノイズ判定ステップと、前記第２のスケーリング処理を前記蓄積処理の後に行った場合に、前記第２の表示画面にノイズが発生するか否かを判定する第２の後段配置ノイズ判定ステップと、前記第１のスケーリング処理及び前記第２のスケーリング処理を前記蓄積処理の後に行った場合に、前記第１の表示画面及び前記第２の表示画面にノイズが発生するか否かを判定する第３の後段配置ノイズ判定ステップとを含み、前記第１の表示ステップは、前記第１の前段配置ノイズ判定ステップ、前記第１の後段配置ノイズ判定ステップ及び前記第３の後段配置ノイズ判定ステップのいずれかの判定結果に応じて前記第１のスケーリング処理及び前記蓄積処理の処理順序を変更して、前記第１のスケーリング処理後の映像信号に基づいて前記第１の映像を表示し、前記第２の表示ステップは、前記第２の前段配置ノイズ判定ステップ、前記第２の後段配置ノイズ判定ステップ及び前記第３の後段配置ノイズ判定ステップのいずれかの判定結果に応じて前記第２のスケーリング処理及び前記蓄積処理の処理順序を変更して、前記第２のスケーリング処理後の映像信号に基づいて前記第２の映像を表示する。
【００１６】
本態様においては、スケーリング処理毎に、蓄積処理の前にスケーリング処理を行ったときに画面にノイズが発生するか否かを判定すると共に、蓄積処理の後にスケーリング処理を行ったときに画面にノイズが発生するか否かを判定する。そして、これらのいずれかの判定結果に応じて、各スケーリング処理と蓄積処理の処理順序を変更するようにしたので、従来では映像信号の組み合わせによって表示できない場合でも、各画面にノイズを発生させることなく第１の表示画面及び第２の表示画面を表示することができるようになる。
【００１７】
（３）本発明の第３の態様に係る映像表示方法では、第２の態様において、前記第１の前段配置ノイズ判定ステップ及び前記第２の前段配置ノイズ判定ステップにおいて、前記第１の表示画面及び前記第２の表示画面にノイズが発生しないと判定された場合、前記第１の表示ステップでは、前記第１のスケーリング処理を前記蓄積処理の前に行うと共に、前記第２の表示ステップでは、前記第２のスケーリング処理を前記蓄積処理の前に行い、前記第１の前段配置ノイズ判定ステップ及び前記第２の前段配置ノイズ判定ステップにおいて、前記第１の表示画面にノイズが発生し、且つ、前記第２の表示画面にノイズが発生しないと判定され、前記第１の後段配置判定ステップにおいて前記第１の表示画面にノイズが発生しないと判定された場合、前記第１の表示ステップでは、前記第１のスケーリング処理を前記蓄積処理の後に行うと共に、前記第２の表示ステップでは、前記第２のスケーリング処理を前記蓄積処理の前に行い、前記第１の前段配置ノイズ判定ステップ及び前記第２の前段配置ノイズ判定ステップにおいて前記第１の表示画面及び前記第２の表示画面にノイズが発生すると判定され、前記第３の後段配置ノイズ判定ステップにおいてノイズが発生しないと判定された場合、前記第１の表示ステップでは、前記第１のスケーリング処理を前記蓄積処理の後に行うと共に、前記第２の表示ステップでは、前記第２のスケーリング処理を前記蓄積処理の後に行う。
【００１８】
本態様によれば、画面に対応したスケーリング処理毎に、スケーリング処理と蓄積処理との処理順序に対応したノイズ発生の判定結果に応じて各スケーリング処理と蓄積処理の処理順序を変更するようにしている。これにより、従来では映像信号の組み合わせによって表示できない場合でも、各画面にノイズを発生させることなく第１の表示画面及び第２の表示画面を表示することができるようになる。
【００１９】
（４）本発明の第４の態様に係る映像表示方法では、第３の態様において、前記第１の前段配置ノイズ判定ステップ及び前記第２の前段配置ノイズ判定ステップにおいて、前記第１の表示画面にノイズが発生し、且つ、前記第２の表示画面にノイズが発生しないと判定され、前記第１の後段配置判定ステップにおいて前記第１の表示画面にノイズが発生すると判定された場合、前記第１の表示ステップ及び前記第２の表示ステップの少なくとも１つでは、非対応メッセージを表示する。
【００２０】
本態様によれば、表示不可能な場合に非対応メッセージを表示するようにしたので、ノイズが発生する可能性の高い第１の表示画面及び第２の表示画面を表示する必要がなくなる。
【００２１】
（５）本発明の第５の態様に係る映像表示方法では、第３の態様又は第４の態様において、前記第１の前段配置ノイズ判定ステップ及び前記第２の前段配置ノイズ判定ステップにおいて、前記第１の表示画面及び前記第２の表示画面にノイズが発生すると判定され、前記第３の後段配置ノイズ判定ステップにおいてノイズが発生すると判定された場合、前記第１の表示ステップ及び前記第２の表示ステップの少なくとも１つでは、非対応メッセージを表示する。
【００２２】
本態様によれば、表示不可能な場合に非対応メッセージを表示するようにしたので、ノイズが発生する可能性の高い第１の表示画面及び第２の表示画面を表示する必要がなくなる。
【００２３】
（６）本発明の第６の態様に係る映像表示方法では、第２の態様において、前記第１の後段配置ノイズ判定ステップは、前記第１の映像信号の種類と、前記第１のスケーラーの垂直方向のスケーリング率と、前記フレームメモリーの帯域とに基づいて、前記第１の表示画面にノイズが発生するか否かを判定し、前記第２の後段配置ノイズ判定ステップは、前記第２の映像信号の種類と、前記第２のスケーラーの垂直方向のスケーリング率と、前記フレームメモリーの帯域とに基づいて、前記第２の表示画面にノイズが発生するか否かを判定し、前記第３の後段配置ノイズ判定ステップは、前記第１の映像信号の種類と、前記第２の映像信号の種類と、前記第１のスケーラーの垂直方向のスケーリング率と、前記第２のスケーラーの垂直方向のスケーリング率と、前記帯域とに基づいて、前記第１の表示画面及び前記第２の表示画面にノイズが発生するか否かを判定する。
【００２４】
本態様によれば、非常に簡素に、スケーリング処理を蓄積処理の後に行ったときに画面にノイズが発生するか否かを判定することができるようになる。
【００２５】
（７）本発明の第７の態様に係る映像表示方法では、第１の態様において、前記第１の前段配置ノイズ判定ステップは、前記第１の映像信号の種類と、前記第１のスケーラーの水平方向のスケーリング率と、前記フレームメモリーの帯域とに基づいて、前記第１の表示画面にノイズが発生するか否かを判定し、前記第２の前段配置ノイズ判定ステップは、前記第２の映像信号の種類と、前記第２のスケーラーの水平方向のスケーリング率と、前記フレームメモリーの帯域とに基づいて、前記第２の表示画面にノイズが発生するか否かを判定する。
【００２６】
本態様によれば、非常に簡素に、スケーリング処理を蓄積処理の前に行ったときに画面にノイズが発生するか否かを判定することができるようになる。
【００２７】
（８）本発明の第８の態様は、第１の映像信号に対応した第１の映像を第１の表示画面に表示し、第２の映像信号に対応した第２の映像を第２の表示画面に表示する映像表示装置が、フレームメモリーと、前記第１の映像信号に対して第１のスケーリング処理を行う第１のスケーラーと、前記第２の映像信号に対して第２のスケーリング処理を行う第２のスケーラーと、前記フレームメモリーへの映像信号の蓄積処理と前記第１のスケーリング処理との処理順序、及び前記蓄積処理と前記第２のスケーリング処理との処理順序を切り替えて、前記第１のスケーリング処理後の映像信号及び前記第２のスケーリング処理後の映像信号を生成する映像信号処理部と、前記映像信号処理部によって生成された前記第１のスケーリング処理後の映像信号及び前記第２のスケーリング処理後の映像信号に基づいて、前記第１の映像及び前記第２の映像を表示する映像表示部とを含み、前記映像信号処理部は、前記第１のスケーリング処理、前記第２のスケーリング処理及び前記蓄積処理の処理順序に対応した前記第１の表示画面及び前記第２の表示画面におけるノイズ発生の判定結果に応じて、前記第１のスケーリング処理と前記蓄積処理との処理順序、及び前記第２のスケーリング処理と前記蓄積処理との処理順序を切り替える。
【００２８】
本態様においては、画面に対応したスケーリング処理毎に、スケーリング処理とフレームメモリーへの蓄積処理との処理順序に対応したノイズ発生の判定結果に応じてスケーリング処理と蓄積処理との処理順序を変更するようにしている。これにより、従来では映像信号の組み合わせによって表示できない場合でも、各画面にノイズを発生させることなく第１の表示画面及び第２の表示画面を表示することができるようになる。
【図面の簡単な説明】
【００２９】
【図１】第１の実施形態に係る映像表示装置としてのプロジェクターの構成例のブロック図。
【図２】図１の映像信号処理部の構成例のブロック図。
【図３】図２の第１のスケーラーの構成例のブロック図。
【図４】図２の第２のスケーラーの構成例のブロック図。
【図５】第１の実施形態における配置判定方法のフローの一例を示す図。
【図６】２画面表示中の画面配置の一例を示す図。
【図７】第２の実施形態における配置判定方法で用いられるテーブル情報の一例を示す図。
【図８】第３の実施形態におけるプロジェクターによる映像表示方法の処理例のフロー図。
【図９】第４の実施形態における配置判定方法の説明図。
【図１０】第４の実施形態におけるプロジェクターによる映像表示方法の処理例のフロー図。
【図１１】第４の実施形態におけるプロジェクターによる映像表示方法の処理例のフロー図。
【図１２】スケーラーがフレームメモリーの前段側に配置される場合の説明図。
【図１３】スケーラーがフレームメモリーの後段側に配置される場合の説明図。
【発明を実施するための形態】
【００３０】
以下、本発明の実施の形態について図面を用いて詳細に説明する。なお、以下に説明する実施の形態は、特許請求の範囲に記載された本発明の内容を不当に限定するものではない。また以下で説明される構成のすべてが本発明の課題を解決するために必須の構成要件であるとは限らない。
以下、本発明に係る映像表示装置として、プロジェクターを例に説明するが、本発明に係る映像表示装置は、プロジェクターに限定されるものではない。
【００３１】
〔第１の実施形態〕
《映像表示装置の構成》
図１に、本発明の第１の実施形態に係る映像表示装置としてのプロジェクターの構成例のブロック図を示す。このプロジェクターは、いわゆる液晶３板式液晶プロジェクターである。
プロジェクター１００は、ランプ５１と、操作部５３と、操作受付部５５と、入力端子Ｔ１〜Ｔ６と、入力セレクター５６ａ，５６ｂと、識別部５７ａ，５７ｂと、映像コンバーター５８ａ，５８ｂと、映像信号処理部５９とを備えている。更に、プロジェクター１００は、フレームメモリー６０と、映像信号補正部６１と、ＯＳＤ（On Screen Display）メモリー６２と、液晶パネル駆動部６３と、光学部６４（映像表示部）と、投射レンズ６５とを備えている。更にまた、プロジェクター１００は、制御部６６と、記憶部６７と、電源部６８と、ランプ駆動部６９とを備えている。また、プロジェクター１００は、操作部５３とは別に、プロジェクター１００を遠隔操作するためのリモコン５４も備えている。
【００３２】
光学部６４は、液晶ライトバルブ５２Ｒ，５２Ｇ，５２Ｂと、クロスダイクロイックプリズム７３とを備えている。液晶ライトバルブ５２Ｒ，５２Ｇ，５２Ｂは、光変調素子であり、それぞれが赤色光、緑色光、青色光用として設けられる。クロスダイクロイックプリズム７３は、ダイクロイック膜７１，７２を備えている。
【００３３】
このようなプロジェクター１００では、光源としてのランプ５１が放射した白色光が、赤色光、青色光、及び緑色光で構成される光の３原色成分に分離される。そして、表示部としての各色光用の液晶ライトバルブ５２Ｒ，５２Ｇ，５２Ｂにより、映像ソースから供給される映像信号に応じて色光毎に変調された後、再度合成されたフルカラーの変調光が投射レンズ６５によりスクリーンＳＣに拡大投射される。
【００３４】
ランプ５１は、例えば、高圧水銀ランプや、メタルハライドランプ及びハロゲンランプ等の高輝度が得られる放電式ランプである。
【００３５】
操作部５３は、プロジェクター１００の本体上面に設けられており、プロジェクター１００を操作するための複数の操作用ボタンを備えている。複数の操作用ボタンには、「電源ボタン」や、「映像探索ボタン」、「ソース選択ボタン」（いずれも図示せず）等が含まれている。「電源ボタン」は、プロジェクター１００を起動及びシャットダウンするための操作用ボタンである。「映像探索ボタン」は、映像信号を供給している映像ソースを探索するための操作用ボタンである。「ソース選択ボタン」は、所望の映像ソースを選択するための操作用ボタンである。
【００３６】
リモコン５４は、プロジェクター１００を遠隔操作するための操作手段であり、操作部５３と同様にプロジェクター１００を操作するための複数の操作用ボタンを備えている。また、複数の操作用ボタンには２画面表示を開始・終了するための「２画面設定ボタン」も含まれる。
【００３７】
操作受付部５５は、ユーザーにより操作部５３又はリモコン５４への操作がなされると、当該操作を受付け、制御部６６へ各種動作のトリガーとなる操作信号を送る。
【００３８】
入力端子Ｔ１〜Ｔ６は、複数の映像ソースとしての外部電子機器から供給される映像信号を、映像信号毎にプロジェクター１００に入力するための入力端子である。第１の実施形態では、外部電子機器として、パーソナルコンピューターＰＣ１，ＰＣ２，ＰＣ３、デジタルプレーヤーＤＶ、ビデオプレーヤーＶＩ、及びブルーレイディスクプレーヤーＢＤを例に説明する。
【００３９】
入力端子Ｔ１，Ｔ２は、例えば、ミニＤ−Ｓｕｂ１５ピン端子であり、パーソナルコンピューターＰＣ１，ＰＣ２から供給されるアナログＲＧＢ信号に対応している。また、Ｄ−Ｓｕｂ１５ピン端子の持つ１５ピンの信号線の使用割り当てを変えることにより、コンポーネント信号も入力することができる。
入力端子Ｔ３は、例えば、ＤＶＩ−Ｄ端子であり、パーソナルコンピューターＰＣ３から供給されるデジタルＲＧＢ信号に対応している。
入力端子Ｔ４は、例えば、Ｓ端子であり、ＤＶＤプレーヤーＤＶや、Ｓビデオプレーヤー等から供給されるＳ信号に対応している。
入力端子Ｔ５は、例えば、ＲＣＡ端子であり、ビデオプレーヤーＶＩや、ＴＶチューナー等から供給されるコンポジット信号に対応している。
入力端子Ｔ６は、例えば、ＨＤＭＩ端子であり、ブルーレイディスクプレーヤーＢＤや、ＤＶＤプレーヤーＤＶ等から供給されるデジタルＲＧＢ信号やデジタルコンポーネント信号に対応している。
プロジェクター１００の入力端子としては、上記の映像入力端子の他に、各種端子が設けられているが、説明を簡単にするため図示を省略している。このような端子としては、音声信号を入力するための、例えば、ステレオミニジャック等の音声入力端子や、外部のパーソナルコンピューターとプロジェクター１００との間で各種の情報のやり取りを行うためのＵＳＢ端子、ＲＳ２３２Ｃ端子等がある。
【００４０】
以下、外部電子機器である、パーソナルコンピューターＰＣ１，ＰＣ２，ＰＣ３、デジタルプレーヤーＤＶ、ビデオプレーヤーＶＩ、及びブルーレイディスクプレーヤーＢＤのことを、映像ソース名での表現も交えながら説明する。
具体的には、パーソナルコンピューターＰＣ１，ＰＣ２のことを、映像ソース名では、「Computer1」，「Computer2」と表記する。同様に、パーソナルコンピューターＰＣ３を「DVI-D」、ＤＶＤプレーヤーＤＶを「S-Video」、ビデオプレーヤーＶＩを「Video」、ブルーレイ（登録商標）ディスクプレーヤーＢＤを「HDMI」とそれぞれ表記する。
【００４１】
入力セレクター５６ａは、入力端子Ｔ１〜Ｔ６の選択スイッチであり、制御部６６からの選択信号に従い、６つの入力端子Ｔ１〜Ｔ６のうち、いずれか１つを選択する。これにより、選択された入力端子に対応する映像ソースが、映像信号Ｖｉｎを供給している場合、プロジェクター１００は、当該映像信号Ｖｉｎによる映像を投射する。
【００４２】
プロジェクター１００のデフォルトの映像ソースは、「Computer１」となっている。プロジェクター１００が起動した後、例えば、ユーザーがリモコン５４の「映像探索ボタン」を操作することで、映像ソースを、「Computer１」、「Computer2」、「DVI-D」、「S-Video」、「Video」、「HDMI」の順番切り替えることができる。リモコン５４の「映像探索ボタン」の操作に対応して、入力セレクター５６ａは、入力端子Ｔ１〜Ｔ６を順番に選択する。
また、プロジェクター１００のシャットダウン時には、シャットダウンの時点で選択されていた映像ソース情報が記憶部６７に記憶され、次回起動時において、記憶されていた映像ソース情報に従い、対応する映像ソースに切り替えられる。
【００４３】
識別部５７ａは、例えば、コンパレーターであり、入力セレクター５６ａにより選択されている映像ソースから映像信号Ｖｉｎが供給されているか否かを識別し、映像信号Ｖｉｎの入力の有無を伝える識別信号を制御部６６に送る。識別部５７ａは、例えば、映像信号Ｖｉｎに含まれている同期信号の有無を確認することにより、映像信号Ｖｉｎの入力の有無を識別する。
【００４４】
映像コンバーター５８ａは、アナログ映像信号ＶｉｎをＡ／Ｄ変換し、デジタル映像信号Ｄｉｎとして出力する。これは、映像信号Ｖｉｎに各種の映像信号処理を施すために行なわれる。また、映像コンバーター５８ａは、デコーダーを内蔵している。
具体的には、映像コンバーター５８ａは、映像信号Ｖｉｎが映像ソース「Computer１」、「Computer2」のアナログＲＧＢ信号の場合は、そのままＡ／Ｄ変換処理を含む映像信号処理を施す。映像信号Ｖｉｎが映像ソース「S-Video」のＳ信号、又は「Video」のコンポジット信号の場合は、内蔵するデコーダーにより、コンポーネント信号に変換してからＡ／Ｄ変換処理を含む映像信号処理を施す。映像ソース「DVI-D」、「HDMI」のデジタル信号の場合は、Ａ／Ｄ変換処理は行われない。
【００４５】
入力セレクター５６ｂ、識別部５７ｂ、映像コンバーター５８ｂは、それぞれ入力セレクター５６ａ、識別部５７ａ、映像コンバーター５８ａと同等の役割を持ち、２画面表示を行う際に、両者は独立して各処理を行う。リモコン５４の「２画面設定ボタン」を操作すると、入力セレクター５６ｂは、入力端子Ｔ１〜Ｔ６のうち、入力セレクター５６ａにより選択されている映像ソースと異なる映像ソース、又は同一の映像ソースを選択する。識別部５７ｂは、入力セレクター５６ｂにより選択されている映像ソースからの信号の有無を識別し、映像コンバーター５８ｂは、映像信号Ｖｉｎに各種の映像信号処理を施す。
【００４６】
映像信号処理部５９は、映像信号Ｄｉｎを、液晶ライトバルブ５２Ｒ，５２Ｇ，５２Ｂで表示するのに適した信号とするために、映像データをフレームメモリー６０に書き込み、所定の条件で読み出す等の映像信号処理を行う。映像信号処理には、映像信号Ｄｉｎで表される映像を拡大及び縮小するスケーリング処理（拡大縮小処理）や、１秒間における描画更新回数を示すフレームレート変換、インターレース信号のプログレッシブ変換等が含まれる。映像信号Ｄｉｎは、このような映像信号処理が施され、デジタル映像信号Ｄｓｃとして出力される。
【００４７】
映像信号補正部６１は、映像信号Ｄｓｃの有する階調値を液晶ライトバルブ５２Ｒ，５２Ｇ，５２Ｂで表示するのに適した階調値に変換するγ補正や、液晶ライトバルブ５２Ｒ，５２Ｇ，５２Ｂに固有の輝度むら等に起因する色むら補正処理を施す。そして、映像信号補正部６１は、ガンマ補正処理や色むら補正処理後の映像信号に対してＤ／Ａ変換を施したアナログ映像信号Ｖｏｕｔを出力する。
【００４８】
また、映像信号補正部６１は、例えば、映像信号Ｖｉｎにて表される映像に、映像ソース名を重畳させるというような、ＯＳＤ機能を司る。映像信号補正部６１は、制御部６６からのＯＳＤ信号に従い、ＯＳＤメモリー６２から、例えば、「映像ソース名」や、映像ソースの「探索画面」を読み出し、映像信号Ｄｓｃに重畳する。
映像信号補正部６１は、映像信号Ｖｉｎが入力されていない場合、「スタンバイ画面」をＯＳＤメモリー６２から読み出し、「スタンバイ画面」を表す映像信号Ｖｏｕｔを生成して出力する。この「スタンバイ画面」には、例えば、青色ベタの画面に「映像ソース名」と、「映像信号が入力されていません」という文字が表される。
【００４９】
ＯＳＤメモリー６２は、不揮発性のメモリーであり、「映像ソース名」や、映像ソースの「探索画面」の各種態様、「スタンバイ画面」等、ＯＳＤに用いられるプロジェクター１００の操作状態を示す画面や各種文字パターン等を記憶している。
【００５０】
液晶パネル駆動部６３は、液晶ドライバーであり、液晶ライトバルブ５２Ｒ，５２Ｇ，５２Ｂに映像信号Ｖｏｕｔや駆動電圧を供給する。液晶パネル駆動部６３は、映像信号Ｖｏｕｔに対応した駆動電圧に基づいて液晶ライトバルブ５２Ｒ，５２Ｇ，５２Ｂのそれぞれを駆動することで、液晶ライトバルブ５２Ｒ，５２Ｇ，５２Ｂに映像を写し出す。
【００５１】
光学部６４は、インテグレーター光学系と、分離光学系（いずれも図示せず）と、合成光学系とを含んで構成されている。インテグレーター光学系は、ランプ５１が放射する白色光を輝度分布の安定した略平行光に変換する。分離光学系は、輝度分布の安定した白色光を光の３原色である赤色、緑色、青色の各色光成分に分離して各色光用の液晶ライトバルブ５２Ｒ，５２Ｇ，５２Ｂに供給する。合成光学系は、液晶ライトバルブ５２Ｒ，５２Ｇ，５２Ｂにて色光毎に映像信号Ｖｏｕｔに応じて変調された各色光の変調光をクロスダイクロイックプリズム７３により再度合成する。
【００５２】
液晶ライトバルブ５２Ｒ，５２Ｇ，５２Ｂからの各色光の変調光は、クロスダイクロイックプリズム７３により合成され、映像信号Ｖｏｕｔに応じて変調されたフルカラーで略平行光の変調光として射出される。クロスダイクロイックプリズム７３では、ダイクロイック膜７１が青色光を反射し緑色光を透過させ、ダイクロイック膜７２が赤色光を反射し緑色光を透過させる。
【００５３】
投射レンズ６５は、凸レンズ等の複数のレンズから構成されており、クロスダイクロイックプリズム７３からの変調光を拡大して投射光とし、スクリーンＳＣに映像を投射する。投射レンズ６５は、投射光の拡大率を調整するズーム機能や、投射光の焦点を調整するフォーカス機能を有している。
【００５４】
制御部６６は、中央演算処理装置（Central Processing Unit：ＣＰＵ）を含んで構成され、バスＢｕｓを介して、プロジェクター１００を構成する各部との信号のやり取りを行い、また、操作受付部５５からの操作信号等に基づいて各部の動作を制御する。
記憶部６７は、例えば、フラッシュメモリー等データの書き換えが可能な不揮発性のメモリーにより構成されている。記憶部６７には、プロジェクター１００の動作を指示及び制御するための様々な制御プログラムや、ファームウェア、及び付随するデータが記憶されている。
制御プログラムには、映像信号を供給している映像ソースを探索するための探索支援プログラムとしての「映像探索プログラム」や、後述するスケーリング処理（スケーラー）の配置判定を行うための「配置判定プログラム」が含まれている。付随するデータとしては、例えば、「映像探索プログラム」を実行する前に入力セレクターが選択していた入力端子名や、「配置判定プログラム」で用いられる定数や必要に応じてテーブル情報等が含まれる。
【００５５】
電源部６８は、外部電源８０からの交流電力をプラグから導き、内蔵するＡＣ／ＤＣ変換部（いずれも図示せず）にて変圧、整流及び平滑する等の処理を施すことにより安定化させた直流電圧をプロジェクター１００の各部に供給する。
【００５６】
ランプ駆動部６９は、電源部６８からの電力供給を受け、放電式ランプであるランプ５１を点灯するために高電圧を発生して放電経路を形成するイグナイター回路と、点灯後の安定した点灯状態を維持するためのバラスト回路（いずれも図示せず）を備えている。
【００５７】
《映像信号処理部》
以上のような構成を有するプロジェクター１００は、スクリーンＳＣ上で、１種類又は２種類の映像ソースからの映像信号に対応した２つの映像を２画面表示することができる。このとき、映像信号処理部５９は、制御部６６による制御により、スクリーンＳＣの２画面にノイズが発生しないように、フレームメモリー６０への映像信号の蓄積処理と、映像信号に対するスケーリング処理との処理順序を切り替える。
【００５８】
具体的には、映像信号処理部５９は、２画面表示する各画面の第１のスケーリング処理、第２のスケーリング処理及び蓄積処理の処理順序に対応した表示画面におけるノイズ発生の判定結果に応じて、第１のスケーリング処理と蓄積処理との処理順序及び第２のスケーリング処理と蓄積処理との処理順序を切り替えることができる。このノイズ判定は、制御部６６又は映像信号処理部５９において行われる。
【００５９】
図２に、図１の映像信号処理部５９の構成例のブロック図を示す。図２において、図１と同様の部分には同一符号を付し、適宜説明を省略する。
映像信号処理部５９は、メモリーコントローラー２００と、第１のスケーラー２１０と、第２のスケーラー２２０と、デインタレーサー２３０と、バスＢｕｓ１，Ｂｕｓ２とを備えている。第１のスケーラー２１０及び第２のスケーラー２２０は、それぞれ２画面表示の画面毎に設けられるスケーラーである。
【００６０】
メモリーコントローラー２００は、フレームメモリー６０へのアクセス制御を行う。具体的には、メモリーコントローラー２００は、第１のスケーラー２１０、第２のスケーラー２２０及びデインタレーサー２３０のいずれかとフレームメモリー６０とを制御して、フレームメモリー６０への映像信号の書き込みを制御する。また、メモリーコントローラー２００は、第１のスケーラー２１０、第２のスケーラー２２０及びデインタレーサー２３０のいずれかとフレームメモリー６０とを制御して、フレームメモリー６０からの映像信号の読み出しを制御する。
【００６１】
図３に、図２の第１のスケーラー２１０の構成例のブロック図を示す。
図４に、図２の第２のスケーラー２２０の構成例のブロック図を示す。
第１のスケーラー２１０は、仮想的にフレームメモリー６０の前段側又は後段側に配置が切り替え可能に構成され、第１の映像信号（例えば映像コンバーター５８ａからの映像信号Ｄｉｎ）に対して第１のスケーリング処理を行う。第１のスケーラー２１０は、バスＢｕｓ１上の映像信号に対して、所与のスケーリング率で第１のスケーリング処理を行い、第１のスケーリング処理後の映像信号をバスＢｕｓ２へ出力する。第１のスケーラー２１０は、図３に示すように、第１のＨスケーラー２１２と、第１のＶスケーラー２１４とを備えている。第１のＨスケーラー２１２は、バスＢｕｓ１上の映像信号に対して、所与の水平方向のスケーリング率でスケーリング処理を行う。第１のＶスケーラー２１４は、第１のＨスケーラー２１２により行われたスケーリング処理後の映像信号に対して、所与の垂直方向のスケーリング率でスケーリング処理を行う。第１のＶスケーラー２１４により行われたスケーリング処理後の映像信号が、バスＢｕｓ２へ出力される。
【００６２】
第２のスケーラー２２０は、仮想的にフレームメモリー６０の前段側又は後段側に配置が切り替え可能に構成され、第２の映像信号（例えば映像コンバーター５８ｂからの映像信号Ｄｉｎ）に対して第２のスケーリング処理を行う。第２のスケーラー２２０は、バスＢｕｓ１上の映像信号に対して、所与のスケーリング率で第２のスケーリング処理を行い、第２のスケーリング処理後の映像信号をバスＢｕｓ２へ出力する。第２のスケーラー２２０は、図４に示すように、第２のＨスケーラー２２２と、第２のＶスケーラー２２４とを備えている。第２のＨスケーラー２２２は、バスＢｕｓ１上の映像信号に対して、所与の水平方向のスケーリング率でスケーリング処理を行う。第２のＶスケーラー２２４は、第２のＨスケーラー２２２により行われたスケーリング処理後の映像信号に対して、所与の垂直方向のスケーリング率でスケーリング処理を行う。第２のＶスケーラー２２４により行われたスケーリング処理後の映像信号が、バスＢｕｓ２へ出力される。
【００６３】
ここで、「スケーリング率」は、「拡大率」又は「縮小率」を意味し、スケーラーによるスケーリング処理が拡大処理のときは「拡大率」を指し、縮小処理のときは「縮小率」を指す。
【００６４】
デインタレーサー２３０は、バスＢｕｓ１上の映像信号をプログレッシブ変換し、プログレッシブ変換後の映像信号をバスＢｕｓ２へ出力する。
バスＢｕｓ１は、バスＢｕｓに接続される。バスＢｕｓ１には、映像コンバーター５８ａから映像信号Ｄｉｎ、映像コンバーター５８ｂからの映像信号Ｄｉｎが出力される。
バスＢｕｓ２は、バスＢｕｓ１と同様に、バスＢｕｓに接続される。バスＢｕｓ２に出力される映像信号が、映像信号処理部５９が出力する映像信号Ｄｓｃとなる。
【００６５】
フレームメモリー６０は、メモリーコントローラー２００の制御により、バスＢｕｓ１，Ｂｕｓ２のいずれかの映像信号を書き込んだり（蓄積処理）、蓄積していた映像信号を読み出してバスＢｕｓ１，Ｂｕｓ２のいずれかに出力したりする。
【００６６】
即ち、第１のスケーラー２１０は、２画面表示の第１の表示画面に表示される第１の映像に対応した第１の映像信号に対して第１のスケーリング処理を行う。第２のスケーラー２２０は、２画面表示の第２の表示画面に表示される第２の映像に対応した第２の映像信号に対して第２のスケーリング処理を行う。
このとき、バスＢｕｓ１に出力された第１の映像信号に基づいて第１のスケーラー２１０が出力したバスＢｕｓ２上の映像信号をフレームメモリー６０に書き込むことで、第１のスケーリング処理を蓄積処理の前に行うことができる。このとき、第１のスケーラー２１０がフレームメモリー６０の前段側に仮想的に配置（前段配置）されたことを意味する。
【００６７】
また、バスＢｕｓ１を介して第１の映像信号を蓄積したフレームメモリー６０から、再び、バスＢｕｓ１へ出力した第１の映像信号に基づいて、第１のスケーラー２１０が出力したバスＢｕｓ２上の映像信号をデジタル映像信号Ｄｓｃとして出力する。従って、第１のスケーリング処理を蓄積処理の後に行うことができる。このとき、第１のスケーラー２１０がフレームメモリー６０の後段側に仮想的に配置（後段配置）されたことを意味する。
【００６８】
同様に、バスＢｕｓ１に出力された第２の映像信号に基づいて第２のスケーラー２２０が出力したバスＢｕｓ２上の映像信号をフレームメモリー６０に書き込むことで、第２のスケーリング処理を蓄積処理の前に行うことができる。このとき、第２のスケーラー２２０がフレームメモリー６０の前段側に仮想的に配置（前段配置）されたことを意味する。
【００６９】
また、バスＢｕｓ１を介して第２の映像信号を蓄積したフレームメモリー６０から、再び、バスＢｕｓ１へ出力した第２の映像信号に基づいて、第２のスケーラー２２０が出力したバスＢｕｓ２上の映像信号をデジタル映像信号Ｄｓｃとして出力する。従って、第２のスケーリング処理を蓄積処理の後に行うことができる。このとき、第２のスケーラー２２０がフレームメモリー６０の後段側に仮想的に配置（後段配置）されたことを意味する。
【００７０】
以上のように、映像信号処理部５９において、第１のスケーラー２１０で処理される第１の映像信号の信号経路を切り替えることで、第１のスケーラー２１０の配置を、フレームメモリー６０の前段側又は後段側に仮想的に切り替える。同様に、映像信号処理部５９において、第２のスケーラー２２０で処理される第２の映像信号の信号経路を切り替えることで、第２のスケーラー２２０の配置を、フレームメモリー６０の前段側又は後段側に仮想的に切り替える。制御部６６（又は映像信号処理部５９）は、スケーラー毎に、次のような配置判定方法で、スケーラー（スケーリング処理）の仮想的な配置を決定する。以下では、制御部６６が、スケーラーの仮想的な配置を決定するものとして説明する。
【００７１】
《配置判定方法》
第１の実施形態では、制御部６６は、各スケーラーに入力される映像信号の種類や解像度に応じてスケーラーの配置をスケーラー毎に決定する。
【００７２】
図５に、第１の実施形態におけるスケーラー配置判定方法のフロー図の一例を示す。図５のスケーラー配置判定方法がソフトウェア処理で実現されるときは、図５の各処理を実行するための制御プログラムが記憶部６７に格納される。
まず、制御部６６は、スケーラーに入力される映像信号がＶｉｄｅｏ信号であるか否かを判定する（ステップＳ１０）。ここで、Ｖｉｄｅｏ信号は、図１において例えば、映像ソース「HDMI」、「S-Video」、「Video」からの映像信号を意味する。映像信号がＶｉｄｅｏ信号であると判定されたとき（ステップＳ１０：Ｙ）、制御部６６は、当該スケーラーをフレームメモリー６０の後段側に配置するように設定し（ステップＳ１２）、一連の処理を終了する（エンド）。
【００７３】
映像信号がＶｉｄｅｏ信号ではないと判定されたとき（ステップＳ１０：Ｎ）、制御部６６は、映像信号がＴＶ系信号であるか否かを判定する（ステップＳ１４）。ここで、ＴＶ系信号は、図１において例えば、映像ソース「HDMI」、「S-Video」、「Video」からの映像信号を意味する。映像信号がＴＶ系信号であると判定されたとき（ステップＳ１４：Ｙ）、制御部６６は、その映像信号の垂直解像度が予め決められた垂直解像度ＨＤ１と一致するか否かを判定する（ステップＳ１６）。映像信号の垂直解像度が垂直解像度ＨＤ１と一致すると判定されたとき（ステップＳ１６：Ｙ）、制御部６６は、当該スケーラーをフレームメモリー６０の後段側に配置するように設定し（ステップＳ１２）、一連の処理を終了する（エンド）。
【００７４】
ステップＳ１６において映像信号の垂直解像度が垂直解像度ＨＤ１と一致しないと判定されたとき（ステップＳ１６：Ｎ）、制御部６６は、当該スケーラーをフレームメモリー６０の前段側に配置するように設定する（ステップＳ１８）。その後、一連の処理を終了する（エンド）。
【００７５】
ステップＳ１４において映像信号がＴＶ系信号ではないと判定されたとき（ステップＳ１４：Ｎ）、制御部６６は、映像信号がインターレース信号であり、且つ、予め決められた水平解像度がＨＤ２より小さいか否かを判定する（ステップＳ２０）。映像信号がインターレース信号であり、且つ、予め決められた水平解像度がＨＤ２より小さいと判定されたとき（ステップＳ２０：Ｙ）、制御部６６は、当該スケーラーをフレームメモリー６０の後段側に配置するように設定する（ステップＳ２２）。その後、一連の処理を終了する（エンド）。一方、映像信号がインターレース信号であり、且つ、予め決められた水平解像度がＨＤ２より小さいと判定されないとき（ステップＳ２０：Ｎ）、制御部６６は、当該スケーラーをフレームメモリー６０の前段側に配置するように設定する（ステップＳ１８）。その後、一連の処理を終了する（エンド）。
【００７６】
以上のように、制御部６６は、映像信号の種類及び解像度に応じて各スケーラーの配置を決定し、決定した配置に応じて、映像信号処理部５９は、スケーリング処理と蓄積処理の処理順序を変更することができる。
【００７７】
《２画面表示》
プロジェクター１００では、起動後にリモコン５４の「２画面設定ボタン」の操作がなされると、操作受付部５５から制御部６６へ操作信号が送られる。操作信号を受信した制御部６６は、入力セレクター５６ａ及び入力セレクター５６ｂにより、入力端子Ｔ１〜Ｔ６のいずれかを選択させ、対応する映像信号にて表される映像を２画面として投射させる。このとき、入力セレクター５６ａにて選択された入力端子を介して入力される第１の映像信号に対応する第１の映像を第１の表示画面に表示する。第１の映像信号は、第１のスケーラー２１０により第１のスケーリング処理が施される。また、入力セレクター５６ｂにて選択された入力端子を介して入力される第２の映像信号に対応する第２の映像は第２の表示画面に表示する。第２の映像信号は、第２のスケーラー２２０により第２のスケーリング処理が施される。なお、入力セレクター５６ａ及び入力セレクター５６ｂにより、互いに異なる映像ソース又は同一の映像ソースから映像信号を各入力セレクターに選択させるようにしてもよい。
【００７８】
図６に、２画面表示中の画面配置の一例を示す。
第１の実施形態では、第１のスケーリング処理後の映像信号を用いた第１の映像を表示する第１の表示画面ＤＩＳＰ１、第２のスケーリング処理後の映像信号を用いた第２の映像を表示する第２の表示画面ＤＩＳＰ２が左右に並んで表示されている。
第１の表示画面ＤＩＳＰ１は、第１のスケーラー２１０により第１の映像信号に対して所与の縮小率で縮小処理（広義には、スケーリング処理）が施された映像信号により表示された映像を表示している。
第２の表示画面ＤＩＳＰ２は、第２のスケーラー２２０により第２の映像信号に対して所与の拡大率で拡大処理（広義には、スケーリング処理）が施された映像信号により表示された映像を表示する。
【００７９】
映像表示部としての光学部６４は、映像信号処理部５９によって生成された第１のスケーリング処理後の映像信号及び第２のスケーリング処理後の映像信号に基づいて第１の映像及び第２の映像を表示する。
【００８０】
以上説明したように、第１の実施形態によれば、第１の映像信号及び第２の映像信号の組み合わせに応じて、画面毎にスケーリング処理と蓄積処理の処理順序を変更することができる。これにより、従来では第１の映像信号及び第２の映像信号の組み合わせによって表示できない場合でも、各画面にノイズを発生させることなく２画面を表示することができるようになる。
【００８１】
〔第２の実施形態〕
第１の実施形態における配置判定方法を、各スケーラーに入力される映像信号の種類や解像度に応じてスケーラーの配置をスケーラー毎に決定していたが、これに限定されるものではない。プロジェクターの高解像度化や映像ソースの種類の多様化が進み、単純にスケーラーの配置を決定することができなくなる場合に、第１の実施形態における配置判定方法では十分ではない可能性がある。そこで、第２の実施形態では、映像信号の種類と解像度と画面サイズとに応じて、予め決められたテーブル情報に基づいて、それぞれのスケーラーの配置を決定する。
【００８２】
図７に、第２の実施形態における配置判定方法で用いられるテーブル情報の一例を示す。図７は、映像信号の種類と解像度と画面サイズに応じて各スケーラーの配置を表す。
図７において、「均等」は第１の表示画面ＤＩＳＰ１と第２の表示画面ＤＩＳＰ２の画面サイズを同一にすることを表す。「左拡大」は図５の第１の表示画面ＤＩＳＰ１を所与の拡大率で拡大し、図５の第２の表示画面ＤＩＳＰ２を所与の縮小率で縮小することを表す。「右拡大」は図５の第１の表示画面ＤＩＳＰ１を所与の縮小率で縮小し、図５の第２の表示画面ＤＩＳＰ２を所与の拡大率で拡大することを表す。予め決められたメニュー設定項目の中から、操作部５３の操作によって図７の画面サイズ、画面配置が指定される。また、ＨＤＴＶ信号及びＳＤＴＶ信号は、ＴＶ系信号であり、図１において例えば、映像ソース「HDMI」、「S-Video」、「Video」からの映像信号である。
【００８３】
第２の実施形態では、第１の実施形態とほぼ同様の構成で実現することができる。第２の実施形態における構成が第１の実施形態における構成と異なる点は、記憶部６７に記憶される制御プログラム等の内容である。
【００８４】
記憶部６７には、図７に対応したテーブル情報が予め記憶されている。制御部６６は、映像信号が入力されると、映像信号毎に記憶部６７に記憶されるテーブル情報を参照し、スケーラー毎に配置を決定する。このとき、制御部６６は、入力される映像信号の種類と解像度と画面サイズとをキーに、スケーラー毎に前段側に配置するか後段側に配置するかを決定する。
【００８５】
以上説明したように、第２の実施形態においても、第１の実施形態と同様に、第１の映像信号及び第２の映像信号の組み合わせに応じて、画面毎にスケーリング処理と蓄積処理の処理順序を変更することができる。このとき、テーブル情報の項目を更に追加することで、第１の実施形態よりも簡単に、より最適なスケーラーの配置を決定することができる。従って、従来では第１の映像信号及び第２の映像信号の組み合わせによって表示できない場合でも、各画面にノイズを発生させることなく２画面（図５参照）を表示することができるようになる。
【００８６】
〔第３の実施形態〕
第１の実施形態又は第２の実施形態では、予め決められた条件に応じてスケーラーの配置を決定していたが、これらに限定されるものではない。第３の実施形態では、２画面表示を行った際に、表示画面毎にノイズが発生するか否かを予測して判定することで、表示画面毎にスケーラーの配置を決定する。具体的には、スケーラー毎に、フレームメモリー６０の前段側に配置したときに表示画面にノイズが発生するか否かを判定し、その判定結果に応じてスケーラー毎に配置を決定する。
【００８７】
第３の実施形態では、第１の実施形態とほぼ同様の構成で実現することができる。第３の実施形態における構成が第１の実施形態における構成と異なる点は、記憶部６７に記憶される制御プログラム等の内容である。
【００８８】
図８に、第３の実施形態におけるプロジェクターによる映像表示方法の処理例のフロー図を示す。図８の方法がソフトウェア処理で実現されるときは、図８の各処理を実行するための制御プログラムが記憶部６７に格納され、制御部６６が制御プログラムに従ってプロジェクター１００の各部を制御する。
まず、プロジェクター１００は、識別部５７ａ，５７ｂにおいて、入力される映像信号が変化するか否かを監視する（ステップＳ３０）。映像信号が変化したことが検出されると（ステップＳ３０：Ｙ）、制御部６６は、入力セレクター５６ａを介して入力される第１の映像信号について、第１のスケーリング処理の前段配置ノイズ判定を行う（ステップＳ３２、第１の前段配置ノイズ判定ステップ）。即ち、ステップＳ３２では、制御部６６が、第１のスケーリング処理を蓄積処理の前に行うとき第１の映像信号に対応した第１の映像を表示する第１の表示画面にノイズが発生するか否かを判定する。
【００８９】
第１のスケーラー２１０をフレームメモリー６０の前段側に配置した場合、第１のスケーラー２１０の第１のＨスケーラー２１２の拡大率を大きくすると、第１のＨスケーラー２１２内のデータ取り込み処理が追いつかなくなる。そのため、第１の映像信号に対応した第１の映像の一部が欠損して、該映像を表示する画面にノイズが発生する。そこで、ステップＳ３２における前段配置ノイズ判定は、式（１）に従って、表示画面にノイズが発生するか否かを判定する。
【００９０】
式（１）において、第１のＨスケーラー２１２の拡大率（広義にはスケーリング率）をＨｓｃａｌｅ１、第１のスケーラー２１０に入力される第１の映像信号のドットクロックの周波数をＤｔｃ１、フレームメモリー６０の帯域をＭＣ（単位を周波数）とする。また、Ｋａ１、Ｋｂ１は定数である。Ｈｓｃａｌｅ１は、第１のスケーラー２１０の水平方向のスケーリング率ということができる。ドットクロックの周波数Ｄｔｃ１は、第１の映像信号の種類に対応している。式（１）によれば、非常に簡素な式で、前段配置ノイズ判定を行うことができる。
【数１】
2012163665.tif 000003
【００９１】
式（１）が真のとき、画面にノイズが発生しないと判定し（ステップＳ３４：Ｎ）、制御部６６は、第１のスケーラー２１０を前段側に配置するように設定する（ステップＳ３６）。式（１）が偽のとき、画面にノイズが発生すると判定し（ステップＳ３４：Ｙ）、制御部６６は、第１のスケーラー２１０を後段側に配置するように設定する（ステップＳ３８）。
【００９２】
ステップＳ３６又はステップＳ３８に続いて、制御部６６は、入力セレクター５６ｂを介して入力される第２の映像信号について、第２のスケーリング処理の前段配置ノイズ判定を行う（ステップＳ４０、第２の前段配置ノイズ判定ステップ）。即ち、ステップＳ４０では、制御部６６が、第２のスケーリング処理を蓄積処理の前に行うとき第２の映像信号に対応した第２の映像を表示する第２の表示画面にノイズが発生するか否かを判定する。
【００９３】
第２のスケーラー２１０をフレームメモリー６０の前段側に配置した場合、第２のスケーラー２２０の第２のＨスケーラー２２２の拡大率を大きくすると、第２のＨスケーラー２２２内のデータ取り込み処理が追いつかなくなる。そのため、第２の映像信号に対応した第２の映像の一部が欠損して、該映像を表示する画面にノイズが発生する。そこで、ステップＳ４０における前段配置ノイズ判定は、式（２）に従って、表示画面にノイズが発生するか否かを判定する。
【００９４】
式（２）において、第２のＨスケーラー２２２の拡大率（広義にはスケーリング率）をＨｓｃａｌｅ２、第２のスケーラー２２０に入力される第２の映像信号のドットクロックの周波数をＤｔｃ２、フレームメモリー６０の帯域をＭＣ（単位を周波数）とする。また、Ｋａ２、Ｋｂ２は定数である。Ｈｓｃａｌｅ２は、第２のスケーラー２２０の水平方向のスケーリング率ということができる。ドットクロックの周波数Ｄｔｃ２は、第２の映像信号の種類に対応している。式（２）によれば、非常に簡素な式で、前段配置ノイズ判定を行うことができる。
【数２】
2012163665.tif 000004
【００９５】
式（２）が真のとき、画面にノイズが発生しないと判定し（ステップＳ４２：Ｎ）、制御部６６は、第２のスケーラー２２０を前段側に配置するように設定する（ステップＳ４４）。式（２）が偽のとき、画面にノイズが発生すると判定し（ステップＳ４２：Ｙ）、制御部６６は、第２のスケーラー２２０を後段側に配置するように設定する（ステップＳ４６）。
【００９６】
ステップＳ３０において映像信号の変化が検出されないとき（ステップＳ３０：Ｎ）、ステップＳ４４又はステップＳ４６に続いて、映像信号処理部５９等は、スケーラー毎に決定された配置に対応した処理順序で映像信号を生成する。例えば、映像信号処理部５９において、決定された第１のスケーラー２１０及び第２のスケーラー２２０の配置で、画面毎にスケーリング処理の映像信号が生成される。そして、プロジェクター１００は、画面毎に、第１の映像を投射して第１の表示画面に表示し、第２の映像を投射して第２の表示画面に表示し（ステップＳ４８）、ステップＳ３０に戻る（リターン）。
【００９７】
即ち、ステップＳ４８は、第１の表示ステップとして、映像表示部としての光学部６４が、ステップＳ３２の判定結果に応じて第１のスケーリング処理及び蓄積処理の処理順序を変更して、第１のスケーリング処理後の映像信号に基づいて第１の映像を表示する。また、ステップＳ４８は、第２の表示ステップとして、映像表示部としての光学部６４が、ステップＳ４０の判定結果に応じて第２のスケーリング処理及び蓄積処理の処理順序を変更して、第２のスケーリング処理後の映像信号に基づいて第２の映像を表示する。
【００９８】
以上説明したように、第３の実施形態においても、第１の実施形態と同様に、第１の映像信号及び第２の映像信号の組み合わせに応じて、画面毎にスケーリング処理と蓄積処理の処理順序を変更することができる。このとき、画面毎にノイズが発生するか否かを判定し、その判定結果に応じてスケーラーの配置を決定するようにしたので、第１の実施形態又は第２の実施形態よりも多くの映像の組み合わせに対応して、最適な２画面表示が可能となる。
【００９９】
〔第４の実施形態〕
第３の実施形態では、スケーリング処理をフレームメモリーへの蓄積処理の前に行うときのノイズの発生のみを判定していたが、これに限定されるものではない。第４の実施形態では、２画面表示を行った際に、スケーリング処理毎に、スケーリング処理をフレームメモリーへの蓄積処理の前や後に行ったときに表示画面にノイズが発生するか否かを判定し、その判定結果に応じてスケーラー毎に配置を決定する。
【０１００】
図９に、第４の実施形態における配置判定方法の説明図を示す。
第４の実施形態では、第１のスケーリング処理及び第２のスケーリング処理を、フレームメモリーへの蓄積処理の前に行った場合にノイズが発生するか否かを順次判定する。そして、その判定結果に応じて、図９に示すようなスケーラーの配置判定を行う。
【０１０１】
即ち、第１のスケーリング処理及び第２のスケーリング処理を蓄積処理の前に行ったときに両方にノイズが発生しないと判定されたとき、第１のスケーラー２１０及び第２のスケーラー２２０の両方をフレームメモリー６０の前段側に配置するように設定する。
【０１０２】
第１のスケーリング処理及び第２のスケーリング処理の一方のみノイズが発生すると判定されたとき、ノイズが発生すると判定されたスケーリング処理について、蓄積処理後に行った場合に、更にノイズが発生するか否かを判定する。
蓄積処理後に行った場合でもノイズが発生すると判定されたときは、正常な２画面表示が不可能になるので、この映像の組み合わせでは表示できないことをＯＳＤメッセージ（非対応メッセージ）等で表示する。
一方、蓄積処理後に行った場合にノイズが発生しないと判定されたときは、対応するスケーラーを後段側に配置するように設定する。
【０１０３】
第１のスケーリング処理及び第２のスケーリング処理の両方がノイズが発生すると判定されたとき、両スケーリング処理を蓄積処理後に行ったときにノイズが発生するか否かを判定する。
蓄積処理後でもノイズが発生すると判定されたときは、正常な２画面表示が不可能になるので、この映像の組み合わせでは表示できないことをＯＳＤメッセージ等で表示する。
一方、蓄積処理後に行った場合にノイズが発生しないと判定されたときは、両スケーラーを後段側に配置するように設定する。
【０１０４】
第４の実施形態では、第１の実施形態とほぼ同様の構成で実現することができる。第４の実施形態における構成が第１の実施形態における構成と異なる点は、記憶部６７に記憶される制御プログラム等や、ＯＳＤメモリー６２に非対応メッセージに対応した情報が新たに記憶される点である。
【０１０５】
図１０及び図１１に、第４の実施形態におけるプロジェクターによる映像表示方法の処理例のフロー図を示す。図１０及び図１１の方法がソフトウェア処理で実現されるときは、図１０及び図１１の各処理を実行するための制御プログラムが記憶部６７に格納され、制御部６６が制御プログラムに従ってプロジェクター１００の各部を制御する。
まず、プロジェクター１００は、識別部５７ａ，５７ｂにおいて、入力される映像信号が変化するか否かを監視する（ステップＳ５０）。映像信号が変化したことが検出されると（ステップＳ５０：Ｙ）、制御部６６は、入力セレクター５６ａを介して入力される第１の映像信号について、第１のスケーリング処理の前段配置ノイズ判定を行う（ステップＳ５２、第１の前段配置ノイズ判定ステップ）。ステップＳ５２は、第３の実施形態におけるステップＳ３２と同様である。
【０１０６】
ステップＳ５２の判定の結果、ノイズが発生すると判定されたとき（ステップＳ５４：Ｙ）、制御部６６は、入力セレクター５６ｂを介して入力される第２の映像信号について、第２のスケーリング処理の前段配置ノイズ判定を行う（ステップＳ５６、第２の前段配置ノイズ判定ステップ）。ステップＳ５６は、第３の実施形態におけるステップＳ４０と同様である。
【０１０７】
ステップＳ５６の判定の結果、ノイズが発生しないと判定されたとき（ステップＳ５８：Ｎ）、制御部６６は、第１のスケーリング処理の後段配置ノイズ判定を行う（ステップＳ６０、第１の後段配置ノイズ判定ステップ）。即ち、ステップＳ６０では、制御部６６が、第１のスケーリング処理を蓄積処理の後に行うとき第１の表示画面にノイズが発生するか否かを判定する。
【０１０８】
第１のスケーラー２１０をフレームメモリー６０の後段側に配置した場合、第１のスケーラー２１０の第１のＶスケーラー２１４の縮小率を大きくすると、フレームメモリー６０のバス帯域の限界を超える。そのため、第１の映像信号に対応した第１の映像が破綻して、該映像を表示する画面にノイズが発生する。そこで、ステップＳ６０における後段配置ノイズ判定は、式（３）に従って、表示画面にノイズが発生するか否かを判定する。
【０１０９】
式（３）において、第１のＶスケーラー２１４の拡大率（広義にはスケーリング率）をＶｓｃａｌｅ１、第１のＨスケーラー２１２に入力される第１の映像信号の横幅の周波数をＨｉｎ１、第１の映像信号の水平周波数をＨｆｒｅｑ１、フレームメモリー６０の帯域をＭＣ（単位を周波数）とする。また、Ｋａ３、Ｋｂ３は定数である。Ｖｓｃａｌｅ１は、第１のスケーラー２１０の垂直方向のスケーリング率ということができる。横幅の周波数Ｈｉｎ１、水平周波数Ｈｆｒｅｑ１は、第１の映像信号の種類に対応している。式（３）によれば、非常に簡素な式で、後段配置ノイズ判定を行うことができる。
【数３】
2012163665.tif 000005
【０１１０】
式（３）が真のとき、画面にノイズが発生しないと判定し（ステップＳ６２：Ｎ）、制御部６６は、第１のスケーラー２１０を後段側、第２のスケーラー２２０を前段側に配置するように設定する（ステップＳ６４）。その後、映像信号処理部５９において、決定された第１のスケーラー２１０及び第２のスケーラー２２０の配置で、画面毎にスケーリング処理後の映像信号が生成される。そして、プロジェクター１００は、画面毎に、第１の映像を投射して第１の表示画面に表示し、第２の映像を投射して第２の表示画面に表示し（ステップＳ６６）、ステップＳ５０に戻る（リターン）。ステップＳ６６は、ステップＳ４８と同様に、第１の表示ステップ及び第２の表示ステップに対応する。
【０１１１】
式（３）が偽のとき、画面にノイズが発生すると判定し（ステップＳ６２：Ｙ）、制御部６６は、この映像信号の組み合わせで２画面表示は不可能と判断する。そのため、制御部６６による制御で、プロジェクター１００は、組み合わせ非対応メッセージをＯＳＤメッセージで画面に表示し（ステップＳ６８）、ステップＳ５０に戻る。ＯＳＤメモリー６２には、予め「組み合わせ非対応メッセージ用画面」や、「非対応メッセージ」に対応した情報が記憶されている。映像信号補正部６１は、ＯＳＤメモリー６２から読み出した「組み合わせ非対応メッセージ用画面」に「非対応メッセージ」を表した映像信号Ｖｏｕｔを生成する。これにより、プロジェクター１００は、非対応メッセージを表示することができる。
【０１１２】
一方、ステップＳ５６の判定の結果、ノイズが発生すると判定されたとき（ステップＳ５８：Ｙ）、制御部６６は、第１のスケーリング処理及び第２のスケーリング処理の後段配置ノイズ判定を行う（ステップＳ７０、第３の後段配置ノイズ判定ステップ）。即ち、ステップＳ７０では、制御部６６が、第１のスケーリング処理及び第２のスケーリング処理を蓄積処理の後に行うとき第１の表示画面及び第２の表示画面にノイズが発生するか否かを判定する。
【０１１３】
ステップＳ７０における後段配置ノイズ判定は、式（４）に従って、表示画面にノイズが発生するか否かを判定する。式（４）において、第１のＶスケーラー２１４の拡大率（広義にはスケーリング率）をＶｓｃａｌｅ１、第１のＨスケーラー２１２に入力される第１の映像信号の横幅の周波数をＨｉｎ１、第１の映像信号の水平周波数をＨｆｒｅｑ１、フレームメモリー６０の帯域をＭＣ（単位を周波数）とする。また、第２のＶスケーラー２２４の拡大率（広義にはスケーリング率）をＶｓｃａｌｅ２、第２のＨスケーラー２２２に入力される第２の映像信号の横幅の周波数をＨｉｎ２、第２の映像信号の水平周波数をＨｆｒｅｑ２とする。また、Ｋａ４，Ｋａ５，Ｋｂ４は定数である。Ｖｓｃａｌｅ１は、第１のスケーラー２１０の垂直方向のスケーリング率ということができる。Ｖｓｃａｌｅ２は、第２のスケーラー２２０の垂直方向のスケーリング率ということができる。第１の映像信号の横幅の周波数Ｈｉｎ１、水平周波数Ｈｆｒｅｑ１は、第１の映像信号の種類に対応し、第２の映像信号の横幅の周波数Ｈｉｎ２、水平周波数Ｈｆｒｅｑ２は、第２の映像信号の種類に対応している。式（４）によれば、非常に簡素な式で、後段配置ノイズ判定を行うことができる。
【数４】
2012163665.tif 000006
【０１１４】
式（４）が真のとき、画面にノイズが発生しないと判定し（ステップＳ７２：Ｎ）、制御部６６は、第１のスケーラー２１０を後段側、第２のスケーラー２２０を後段側に配置するように設定する（ステップＳ７４）。その後、ステップＳ６６に進む。
【０１１５】
式（４）が偽のとき、画面にノイズが発生すると判定し（ステップＳ７２：Ｙ）、制御部６６は、この映像信号の組み合わせで２画面表示は不可能と判断する。そのため、制御部６６による制御で、プロジェクター１００は、組み合わせ非対応メッセージをＯＳＤメッセージで画面に表示し（ステップＳ６８）、ステップＳ５０に戻る。
【０１１６】
ステップＳ５２の判定の結果、ノイズが発生しないと判定されたとき（ステップＳ５４：Ｎ）、制御部６６は、入力セレクター５６ｂを介して入力される第２の映像信号について、第２のスケーリング処理の前段配置ノイズ判定を行う（ステップＳ７６、第２の前段配置ノイズ判定ステップ）。ステップＳ７６は、第３の実施形態におけるステップＳ４０と同様である。
【０１１７】
ステップＳ７６の判定の結果、ノイズが発生しないと判定されたとき（ステップＳ７８：Ｎ）、制御部６６は、第１のスケーラー２１０を前段側、第２のスケーラー２２０を前段側に配置するように設定する（ステップＳ８０）。その後、ステップＳ６６に進む。
【０１１８】
ステップＳ７６の判定の結果、ノイズが発生すると判定されたとき（ステップＳ７８：Ｙ）、制御部６６は、第２のスケーリング処理の後段配置ノイズ判定を行う（ステップＳ８２、第２の後段配置ノイズ判定ステップ）。即ち、ステップＳ８２では、制御部６６が、第２のスケーリング処理を蓄積処理の後に行うとき第２の表示画面にノイズが発生するか否かを判定する。
【０１１９】
第２のスケーラー２２０をフレームメモリー６０の後段側に配置した場合、第１のスケーラー２２０の第２のＶスケーラー２２４の縮小率を大きくすると、フレームメモリー６０のバス帯域の限界を超える。そのため、第２の映像信号に対応した第２の映像が破綻して、該映像を表示する画面にノイズが発生する。そこで、ステップＳ８２における後段配置ノイズ判定は、式（５）に従って、表示画面にノイズが発生するか否かを判定する。
【０１２０】
式（５）において、第２のＶスケーラー２２４の拡大率（広義にはスケーリング率）をＶｓｃａｌｅ２、第２のＨスケーラー２２２に入力される第２の映像信号の横幅の周波数Ｈｉｎ２、第２の映像信号の水平周波数をＨｆｒｅｑ２、フレームメモリー６０の帯域をＭＣ（単位を周波数）とする。また、Ｋａ６、Ｋｂ５は定数である。Ｖｓｃａｌｅ２は、第２のスケーラー２２０の垂直方向のスケーリング率ということができる。横幅の周波数Ｈｉｎ２、水平周波数Ｈｆｒｅｑ２は、第２の映像信号の種類に対応している。式（５）によれば、非常に簡素な式で、後段配置ノイズ判定を行うことができる。
【数５】
2012163665.tif 000007
【０１２１】
式（５）が真のとき、画面にノイズが発生しないと判定し（ステップＳ８４：Ｎ）、制御部６６は、第１のスケーラー２１０を前段側、第２のスケーラー２２０を後段側に配置するように設定する（ステップＳ８６）。その後、ステップＳ６６に進む。
【０１２２】
式（５）が偽のとき、画面にノイズが発生すると判定し（ステップＳ８４：Ｙ）、制御部６６は、この映像信号の組み合わせで２画面表示は不可能と判断する。そのため、制御部６６による制御で、プロジェクター１００は、組み合わせ非対応メッセージをＯＳＤメッセージで画面に表示し（ステップＳ６８）、ステップＳ５０に戻る。
【０１２３】
以上のように、図９のステップＳ６６は、第１の表示ステップとして、ステップＳ５２、ステップＳ６０及びステップＳ７０のいずれかの判定結果に応じて第１のスケーリング処理及び蓄積処理の処理順序を変更して、第１のスケーリング処理後の映像信号に基づいて第１の映像を表示する。また、ステップＳ６６は、第２の表示ステップとして、ステップＳ５６、ステップＳ７６、ステップＳ８２及びステップＳ７０のいずれかの判定結果に応じて第２のスケーリング処理及び蓄積処理の処理順序を変更して、第２のスケーリング処理後の映像信号に基づいて第２の映像を表示する。
【０１２４】
以上説明したように、第４の実施形態によれば、第１の実施形態と同様に、第１の映像信号及び第２の映像信号の組み合わせに応じて、画面毎にスケーリング処理と蓄積処理の処理順序を変更することができる。このとき、スケーラー毎に、前段配置及び後段配置についてノイズが発生するか否かを判定し、その判定結果に応じてスケーラーの配置を決定するようにしたので、第１の実施形態又は第２の実施形態よりも多くの映像の組み合わせに対応して、最適な２画面表示が可能となる。
【０１２５】
以上、本発明に係る映像表示方法及び映像表示装置等を上記の実施形態に基づいて説明したが、本発明は上記のいずれかの実施形態に限定されるものではない。例えば、その要旨を逸脱しない範囲において種々の態様において実施することが可能であり、次のような変形も可能である。
【０１２６】
（１）上記の実施形態では、２画面表示機能をもつプロジェクターを例に説明したが、本発明はこれに限定されるものではない。３画面以上の複数画面表示機能を持つプロジェクターにも適用することができる。例えば、プロジェクターに、入力セレクター、識別部、映像コンバーターをそれぞれ複数（３つ以上）搭載し、複数の映像ソースの映像を複数画面で表示することができる。
【０１２７】
（２）上記の実施形態では、映像ソースとして「Computer1」、「Comuter2」、「DVI-D」、「S-Video」、「Video」、「HDMI」の６種類を例に説明したが、本発明はこれらに限定されるものではない。例えば、映像ソースとして「コンポーネントビデオ」と「ＢＮＣ」を加え、それぞれに対応する入力端子、ミニＤ−Ｓｕｂ１５ピン端子とＢＮＣ端子とを増設した構成であってもよい。また、ＵＳＢ等のシリアル通信端子やＬＡＮ等の通信手段による映像ソースを用いてもよい。
【０１２８】
（３）上記の実施形態では、本発明に係る映像表示装置が、光変調素子として３枚の液晶ライトバルブを用いた液晶３板式の投射型プロジェクターである例を説明したが、本発明はこれに限定されるものではない。例えば、本発明に係る映像表示装置としてのプロジェクターは、赤、緑、青色のカラーフィルターが規則的に格子状に配置され、１枚でフルカラーの変調光を射出することが可能な単板の液晶ライトバルブを用いる構成であってもよい。また、反射型液晶表示装置や、ティルトミラーデバイスを用いる構成を有するプロジェクターであってもよい。
【０１２９】
（４）上記の実施形態では、本発明に係る映像表示装置としてのプロジェクターは、光源として放電式ランプを用いる例を説明したが、本発明はこれに限定されるものではない。例えば、ＬＥＤやレーザー等の固体光源を光源に用いるプロジェクターであってもよい。
【０１３０】
（５）上記の実施形態では、本発明に係る映像表示装置として、フロント型のプロジェクターを例に説明したが、本発明はこれに限定されるものではない。例えば、本発明に係る映像表示装置は、リア型のプロジェクションテレビ、液晶テレビ、プラズマテレビ、ＣＲＴテレビ、パーソナルコンピューターモニター、有機ＥＬディスプレイ等であってもよい。
【０１３１】
（５）上記の実施形態において、映像表示方法及び映像表示装置等として説明したが、本発明はこれに限定されるものではない。
【符号の説明】
【０１３２】
５１…ランプ、  ５２Ｒ，５２Ｇ，５２Ｂ…液晶ライトバルブ、  ５３…操作部、
５４…リモコン、  ５５…操作受付部、  ５６ａ，５６ｂ…入力セレクター、
５７ａ，５７ｂ…識別部、  ５８ａ，５８ｂ…映像コンバーター、
５９…映像信号処理部、  ６０，ＦＭ…フレームメモリー、  ６１…映像信号補正部、
６２…ＯＳＤメモリー、  ６３…液晶パネル駆動部、  ６４…光学部、
６５…投射レンズ、  ６６…制御部、  ６７…記憶部、  ６８…電源部、
６９…ランプ駆動部、  ７１，７２…ダイクロイック膜、
７３…クロスダイクロイックプリズム、  ８０…外部電源、  １００…プロジェクター、
２００…メモリーコントローラー、  ２１０，ＳＣ１…第１のスケーラー、
２１２…第１のＨスケーラー、  ２１４…第１のＶスケーラー、
２２０，ＳＣ２…第２のスケーラー、  ２２２…第２のＨスケーラー、
２２４…第２のＶスケーラー、  ２３０…デインタレーサー、
ＢＤ…ブルーレイディスクプレーヤー、  Ｂｕｓ，Ｂｕｓ１，Ｂｕｓ２…バス、
Ｄｉｎ，Ｄｓｃ，Ｖｉｎ，Ｖｏｕｔ…映像信号、  ＤＩＳＰ１…第１の表示画面、
ＤＩＳＰ２…第２の表示画面、  ＤＶ…ＤＶＤプレーヤー、
ＰＣ１〜ＰＣ３…パーソナルコンピューター、  ＳＣ…スクリーン、
Ｔ１〜Ｔ６…入力端子、  ＶＩ…ビデオプレーヤー
【図１】
2012163665.tif 000008
【図２】
2012163665.tif 000009
【図３】
2012163665.tif 000010
【図４】
2012163665.tif 000011
【図５】
2012163665.tif 000012
【図６】
2012163665.tif 000013
【図７】
2012163665.tif 000014
【図８】
2012163665.tif 000015
【図９】
2012163665.tif 000016
【図１０】
2012163665.tif 000017
【図１１】
2012163665.tif 000018
【図１２】
2012163665.tif 000019
【図１３】
2012163665.tif 000020